(57)【要約】【課題】電源オフ時においても用紙積載台を下限位置に移動できると共に、手動操作による迅速な用紙積載台昇降を可能とする。【解決手段】用紙積載台２１の下面２１ｂ側に用紙搬送方向と直交する用紙幅方向に間隔を離して正逆転可能に取り付けた左右一対の昇降ギア３７，３７を、筐体内フレーム１０に間隔を離して取り付けた左右一対のラック１１，１１に接離自在に噛合させて用紙積載台２１を昇降させる際、用紙積載台２１は、装置筐体２に対して昇降可能に設けられた一対の回動軸周りに回動可能に支持されており、一対の回動軸周りに用紙載置台２１を閉じる方向に傾斜させた際、一対の昇降ギア３３，３３が一対のラック１１，１１の各ラック歯１１ａから歯合を解除されることを特徴とする用紙積載装置２０Ａを提供する。【選択図】図６
2017132590.tif 000002
【特許請求の範囲】
【請求項１】
複数枚の用紙を積載する用紙積載台と、
前記用紙積載台に用紙搬送方向と直交する用紙幅方向に間隔を離して正逆転可能に取り付けられた一対の昇降ギアと、
前記用紙積載台を収納するための開口部が一側面側に形成された画像形成装置の装置筐体と、
前記装置筐体の開口部内に設けた筐体内フレームに間隔を離して取り付けられており、前記用紙積載台を通常動作時に昇降させる際に前記一対の昇降ギアと噛合する各ラック歯が前記装置筐体の一側面側に向けて鉛直方向に沿って形成された一対のラックと、を少なくとも備え、
通常動作時には前記用紙積載台を前記装置筐体の外側に略水平に突出させた状態で、前記昇降ギアの駆動により前記用紙積載台を昇降させる用紙積載装置において、
前記用紙載置台は、前記装置筐体に対して昇降可能に設けられた一対の回動軸周りに回動可能に支持されており、前記一対の回動軸周りに前記用紙載置台を閉じる方向に傾斜させた際、前記一対の昇降ギアが前記一対のラックの各ラック歯から歯合を解除されることを特徴とする用紙積載装置。
【請求項２】
前記用紙積載台が予め設定した所定の角度以上傾斜したことを検出する用紙積載台傾斜角度検出手段を更に備え、
前記用紙積載台が前記所定の角度以上傾斜したことを前記用紙積載台傾斜角度検出手段で検出したときに装置電源を遮断することを特徴とする請求項１に記載の用紙積載装置。
【発明の詳細な説明】
【技術分野】
【０００１】
本発明は、複数枚の用紙を積載した用紙積載台の下面側に用紙搬送方向と直交する用紙幅方向に間隔を離して正逆転可能に取り付けた一対の昇降ギアを、筐体内フレームに間隔を離して取り付けた一対のラックに接離自在に噛合させた際に、用紙積載台を迅速に昇降させることができる用紙積載装置に関する。
【背景技術】
【０００２】
一般的に、用紙に画像や文字を印刷する印刷装置や、用紙に画像や文字を複写する複写機などの画像形成装置には、用紙を多量に積載しながら昇降できる用紙積載台を備えた用紙積載装置が設置されている。
【０００３】
この種の用紙積載装置は、用紙積載台上に積載された複数枚の用紙を１枚ずつ画像形成装置内に給紙する給紙装置として用いられたり、あるいは、画像形成装置内から排出された画像形成済みの用紙を用紙積載台上に順次積載する排紙装置として用いられている。
【０００４】
この際、用紙積載台上に用紙を多量に積載する際に、給紙装置の場合には用紙積載台上の積載用紙に対して給紙高さ位置を略一定な高さに保つように用紙積載台を制御し、一方、排紙装置の場合には排紙高さ位置を略一定な高さに保つように用紙積載台を制御するために、用紙積載台を昇降可能に設けた用紙積載装置がある（例えば、特許文献１，２参照）。
【０００５】
特許文献１に開示された印刷装置では、シート積載台がシートの給送が可能となる給送位置と印刷装置本体内に収納される収納位置との間で昇降可能に設けられている。
【０００６】
また、印刷装置本体には、この一側部に電源遮断手段としての電源スイッチが配設されているが、この電源スイッチとは別に操作パネルに電源自動オフキーが配設されている。
【０００７】
ここでは、印刷終了後の待機状態でユーザが電源スイッチを押して電源オフにすると、シート積載台はその位置で止まってしまうために、電源オフ後はシート積載台を収納位置となる下限位置まで下降させることができず、シート積載台を印刷装置本体内に収納することができない。
【０００８】
勿論、この場合に電源スイッチを再投入すればシート積載台の下降を継続することが可能になるが、電源スイッチを再投入した時に初期化動作に時間がかかってしまう。
【０００９】
そこで、この印刷装置では、印刷中または印刷エラーによる印刷中止状態を除く待機状態にある場合に、ユーザが操作パネルに配設された電源自動オフキーを操作すると、シート積載台が自動的に下降して下限位置に至った後に、電源を自動的に遮断できるように改善が図られている。
【００１０】
そして、シート積載台が下限位置に至ったときに、シート積載台を印刷装置本体内に折り畳んで収納できる旨が記載されている。
【００１１】
ここで、特許文献１に開示された従来例の印刷装置において、シート積載台を収納位置まで下降して装置本体内に収納させる動作フローについて、図１０を用いて簡略に説明する。
【００１２】
図１０に示す如く、従来例の印刷装置の動作を開始すると、ステップＳ１０１において、従来例の印刷装置内で用紙上に画像を印刷する。
【００１３】
次に、ステップＳ１０２において、用紙上への画像の印刷が終了する。ここで、ユーザがシート積載台を印刷装置本体内に収納したい場合に、ステップＳ１０３において、シート積載台上から用紙を手で取り除く。
【００１４】
次に、ステップＳ１０４において、ユーザは操作パネルに配設された電源自動オフキーを操作する。
【００１５】
次に、ステップＳ１０５において、電源自動オフキーの操作によって、シート積載台が自動的に印刷装置本体の下限位置まで下降する。
【００１６】
次に、ステップＳ１０６において、シート積載台が下限位置に至ったときに、電源を自動的に遮断（ＯＦＦ）する。
【００１７】
次に、ステップＳ１０７において、シート積載台を折り畳んで印刷装置本体内に収納して、この動作フローを終了する。
【００１８】
一方、特許文献２に開示された給紙台装置の昇降制御装置では、給紙台の下底部にピニオン軸がモータ駆動源と連結されて回転自在に支持されており、このピニオン軸の両端部に左右一対のピニオンが固着されている。
【００１９】
また、左右一対のピニオンは、本体側に上下方向に固定された左右一対のラックに噛合している。これにより、給紙台が上下方向に昇降可能になっている旨が記載されている。
【先行技術文献】
【特許文献】
【００２０】
【特許文献１】特開２００９−１２６０１６号公報
【特許文献２】特開平６−２５５８０７号公報
【発明の概要】
【発明が解決しようとする課題】
【００２１】
ところで、特許文献１に記載の印刷装置では、前述したように、印刷装置の待機中にユーザが電源自動オフキーを操作することで、シート積載台を自動的に印刷装置本体の下限位置まで下降でき、且つ、シート積載台が下限位置に至ったときに電源を自動的に遮断できると共に、下限位置に到達したシート積載台を印刷装置本体内に収納できる。
【００２２】
しかしながら、特許文献１に記載の印刷装置では、電源自動オフキーの操作時に、シート積載台が自動的に印刷装置本体の下限位置まで到達するに要する時間がかかってしまう。
【００２３】
また、電源自動オフキーの操作時に、シート積載台が下限位置に到達するまで電源を入れておかなければならないので、シート積載台の下降途中で電源を遮断できない。
【００２４】
一方、特許文献２に記載の給紙台装置の昇降制御装置では、前述したように、給紙台の下底部に支持されたピニオン軸の両端部に固着した左右一対のピニオンと、本体側に固定された左右一対のラックとを噛合させることにより、給紙台を昇降させることができる。
【００２５】
しかしながら、特許文献２に記載の給紙台装置の昇降制御装置では、左右一対のピニオンと左右一対のラックとが常時噛合しているために、給紙台の昇降に時間がかかってしまう。
【００２６】
また、給紙台が下限位置以外で開いた状態で電源をオフすると給紙台を印刷装置本体内に収納することが出来ず、収納のためには、再び電源をオンしなければならないという問題もある。
【００２７】
本発明は、上記のごとき課題を解決することのできる用紙積載装置を提供することを目的とするものである。
【課題を解決するための手段】
【００２８】
本発明は上記課題に鑑みてなされたものであり、第１の発明は、複数枚の用紙を積載する用紙積載台と、
前記用紙積載台に用紙搬送方向と直交する用紙幅方向に間隔を離して正逆転可能に取り付けられた一対の昇降ギアと、
前記用紙積載台を収納するための開口部が一側面側に形成された画像形成装置の装置筐体と、
前記装置筐体の開口部内に設けた筐体内フレームに間隔を離して取り付けられており、前記用紙積載台を通常動作時に昇降させる際に前記一対の昇降ギアと噛合する各ラック歯が前記装置筐体の一側面側に向けて鉛直方向に沿って形成された一対のラックと、を少なくとも備え、
通常動作時には前記用紙積載台を前記装置筐体の外側に略水平に突出させた状態で、前記昇降ギアの駆動により前記用紙積載台を昇降させる用紙積載装置において、
前記用紙載置台は、前記装置筐体に対して昇降可能に設けられた一対の回動軸周りに回動可能に支持されており、前記一対の回動軸周りに前記用紙載置台を閉じる方向に傾斜させた際、前記一対の昇降ギアが前記一対のラックの各ラック歯から歯合を解除されることを特徴とする用紙積載装置である。
【００２９】
また、第２の発明は、上記した第１の発明の用紙積載装置において、
前記用紙積載台が予め設定した所定の角度以上傾斜したことを検出する用紙積載台傾斜角度検出手段を更に備え、
前記用紙積載台が前記所定の角度以上傾斜したことを前記用紙積載台傾斜角度検出手段で検出したときに装置電源を遮断することを特徴とする用紙積載装置である。
【発明の効果】
【００３０】
第１の発明の用紙積載装置によると、用紙積載台を一対の回動軸を回動中心にして水平状態から上方に向けて傾けることで、用紙積載台に用紙幅方向に間隔を離して正逆転可能に取り付けられた左右一対の昇降ギアを、筐体内フレームに間隔を離して取り付けた左右一対のラックの各ラック歯から噛合を解除できるように構成されている。
【００３１】
この結果、ユーザの手動操作により、用紙積載台を迅速に昇降させることができる。
【００３２】
また、第２の発明の用紙積載装置によると、第１の発明の効果の他に、ユーザの手動操作により用紙積載台を下降させるときに、用紙積載台が予め設定した所定の角度以上傾斜したことを用紙積載台傾斜角度検出手段で検出したときに装置電源を遮断しているので、電源釦を操作する必要がなくなり、操作性の良い用紙積載装置を提供することができる。
【００３３】
更に、ユーザの手動操作により用紙積載台が所定の角度以上傾斜していない場合に、用紙積載台をユーザが所望する適宜な位置に停止させて例えば用紙の補充を行うことで、用紙上に再度画像形成を行うことが可能になるので、用紙積載装置の使用勝手がより一層良好となる。
【図面の簡単な説明】
【００３４】
【図１】本発明に係る用紙積載装置を適用した画像形成装置の全体構成を示した図である。
【図２】本発明の第１実施形態に係る用紙積載装置を示した斜視図である。
【図３】（ａ），（ｂ）は本発明の第１実施形態に係る用紙積載装置を左側面側，正面側から見て摸式的に示した図である。
【図４】本発明の第１実施形態に係る用紙積載装置において、昇降ギアがラックのラック歯から噛合を解除できる条件を説明するために模式的に示した図である。
【図５】本発明の第１実施形態に係る用紙積載装置において、ユーザの手動操作により用紙積載台を下降して下限位置で装置筐体内に収納させる動作フローを示したフロー図である。
【図６】（ａ）〜（ｄ）は本発明の第１実施形態に係る用紙積載装置において、ユーザの手動操作により用紙積載台を下降して下限位置で装置筐体内に収納させる動作を段階的に示した図である。
【図７】（ａ），（ｂ）は本発明の第２実施形態に係る用紙積載装置を左側面側，正面側から見て摸式的に示した図である。
【図８】（ａ）〜（ｄ）は本発明の第２実施形態に係る用紙積載装置において、通常動作により用紙積載台を下降させる場合を段階的に示した図である
【図９】（ａ）〜（ｄ）は本発明の第２実施形態に係る用紙積載装置において、手動操作により用紙積載台を下降させる場合を段階的に示した図である。
【図１０】従来例の印刷装置において、シート積載台を収納位置まで下降して装置本体内に収納させる動作フローを示したフロー図である。
【発明を実施するための形態】
【００３５】
以下に本発明に係る用紙積載装置の一実施形態について詳細に説明する。
【００３６】
本発明に係る用紙積載装置は、用紙に画像や文字を印刷する印刷装置や、用紙に画像や文字を複写する複写機などの画像形成装置に適用されている。
【００３７】
この際、本発明に係る用紙積載装置は、用紙積載台上に積載された複数枚の用紙を１枚ずつ画像形成装置内に給紙する給紙装置として用いられたり、あるいは、画像形成装置内から排出された画像形成済みの用紙を用紙積載台上に順次積載する排紙装置として用いられている。
【００３８】
以下では、本発明に係る用紙積載装置を画像形成装置内で給紙装置として用いる場合について図１を用いて説明し、この給紙装置と略同じ構成の排紙装置として用いる場合についての説明を省略する。
【００３９】
図１は本発明に係る用紙積載装置を適用した画像形成装置の全体構成を示しており、（ａ）は用紙積載装置内の用紙積載台が装置筐体の一側面側に沿って昇降可能な状態を示し、（ｂ）は用紙積載台が装置筐体の一側面側の内部に収納される状態を示している。
【００４０】
まず、図１（ａ）に示す如く、本発明に係る用紙積載装置２０を適用した画像形成装置１では、装置筐体２が箱状に形成されており、この装置筐体２の天面２ａ上に操作パネル部３が設置されている。この操作パネル部３には、ここでの詳細な図示を省略するが、画像形成装置１を操作する各種の機能釦や、電源釦や、液晶ディスプレイなどが配設されている。
【００４１】
また、装置筐体２は、一側面となる左側面２ｂに第１開口部２ｂ１が大きく開口されており、且つ、左側面２ｂとは反対側の他側面となる右側面２ｃの上方部位に第２開口部２ｃ１が高さ方向に対して第１開口部２ｂ１よりも小さく開口されている。
【００４２】
また、装置筐体２の左側面２ｂ側には、本発明に係る用紙積載装置２０内の用紙積載台２１が複数枚の用紙Ｐを積載して、装置筐体２の左側面２ｂの外側に略水平に突出した状態で第１開口部２ｂ１内を臨みながら後述する通常動作時に上下方向に昇降可能に設置されている。
【００４３】
この際、複数枚の用紙Ｐは、用紙積載台２１の上面２１ａ上に互いに間隔を離して対向して取り付けた一対のサイド板２３，２３間に用紙幅方向を規制されている。
【００４４】
また、装置筐体２内には、用紙積載台２１上に積載された複数枚の用紙Ｐを１枚ずつ外部給紙する給紙部４と、給紙部４から搬送された用紙Ｐ上に画像を形成する画像形成部５と、画像形成部５で処理された画像形成済みの用紙Ｐを排紙する排紙部６と、画像形成装置１及び用紙積載装置２０を全体的に制御する制御部７と、画像形成装置１及び用紙積載装置２０に装置電源を供給する電源部８とが設置されている。
【００４５】
そして、排紙部６から排出された画像形成済みの用紙Ｐは、装置筐体２の右側面２ｃ側に第２開口部２ｃ１を臨んで設けた排紙台９上に順次積載されるようになっている。
【００４６】
また、装置筐体２の左側面２ｂ側に形成した第１開口部２ｂ１の内側には、用紙積載装置２０内に設けた昇降可能な用紙積載台２１と対向して筐体内フレーム１０が立設されている。
【００４７】
上記した筐体内フレーム１０には、用紙積載台２１の昇降をガイドする左右一対の垂直ガイド溝１０ｂ１，１０ｃ１が鉛直方向に沿って長尺に形成されている。
【００４８】
また、筐体内フレーム１０には、用紙積載台２１を昇降させるための左右一対のラック１１，１１が取り付けられており、これらの左右一対のラック１１，１１も鉛直方向に沿って長尺に形成されている。
【００４９】
更に、筐体内フレーム１０には、用紙積載台２１の上限位置を検出する上限位置検出センサ１２と、用紙積載台２１上に積載された複数枚の用紙Ｐのうちで最上位の用紙Ｐを略一定の高さ位置で給紙する際に給紙高さ位置を検出する給紙高さ位置検出センサ１３と、用紙積載台２１の下限位置を検出する下限位置検出センサ１４とが取り付けられている。
【００５０】
次に、図１（ｂ）に示す如く、画像形成装置１を工場から出荷する出荷時や、画像形成装置１を使用しない待機時（初期時）や、画像形成装置１内で画像形成処理が終了したときに、用紙積載台２１が装置筐体２の左側面２ｂの外側に略水平に突出していると、画像形成装置１の設置面積が大きくなってしまうと共に、装置筐体２の周囲に対して用紙積載台２１が邪魔になる場合がある。
【００５１】
そこで、昇降可能な用紙積載台２１を装置筐体２の左側面２ｂの下方に設定した下限位置までに下降させたときに、必要に応じて用紙積載台２１が装置筐体２の左側面２ｂに形成した第１開口部２ｂ１の内側に略垂直状態で収納可能になっている。
【００５２】
そして、本発明に係る用紙積載装置２０では、後述するように、用紙積載台２１の下面２１ｂ（図２）に用紙搬送方向と直交する用紙幅方向に間隔を離して取り付けた左右一対の昇降ギア３７，３７（図２）を、筐体内フレーム１０に間隔を離して取り付けた左右一対のラック１１，（１１）の各ラック歯１１ａ（図２）に接離自在に噛合できるように構成している。
【００５３】
この際、ユーザの手動操作により用紙積載台２１を略水平状態から上方に向けて傾けて、左右一対の昇降ギア３７，３７を左右一対のラック１１，１１から噛合を解除して、用紙積載台２１を下限位置まで迅速に下降させると共に、下降途中で用紙積載台２１の傾斜角度が所定の角度以上のときに装置電源を遮断することを特徴としており、以下、第１実施形態〜第２実施形態の順に説明する。
【００５４】
（第１実施形態）
まず、本発明の第１実施形態に係る用紙積載装置の構成について、図２及び図３（ａ），（ｂ）を用いて説明する。
【００５５】
図２は本発明の第１実施形態に係る用紙積載装置を斜視的に示している。また、図３（ａ），（ｂ）は本発明の第１実施形態に係る用紙積載装置を左側面側，正面側から見て模式的に示している。
【００５６】
図２及び図３（ａ），（ｂ）に示す如く、本発明の第１実施形態に係る用紙積載装置２０Ａ（２０）では、複数枚の用紙Ｐを積載する用紙積載台２１が長方形状に形成されており、且つ、この上面２１ａ及び下面２１ｂが共に平坦に形成されている。
【００５７】
また、用紙積載台２１は、用紙搬送方向の下流側の前面２１ｃ側が筐体内フレーム１０中で用紙搬送方向と直交する用紙幅方向に形成した前板部１０ａ（図２のみ図示）と対向している。
【００５８】
そして、用紙積載台２１上に積載された複数枚の用紙Ｐは、筐体内フレーム１０の前板部１０ａの上方に設けた給紙部４内の給紙ローラ４ａ（図２のみ図示）及び捌き板４ｂ（図２のみ図示）によって１枚ずつ給紙できるようになっている。
【００５９】
この際、筐体内フレーム１０は、左右一対の側板部１０ｂ，１０ｃが互いに対向して前板部１０ａの用紙幅方向の両端部を用紙積載台２１の左右の側面２１ｅ，２１ｆに沿うようコ字状に折り曲げて形成されている。
【００６０】
また、筐体内フレーム１０に形成した左右一対の側板部１０ｂ，１０ｃには、用紙積載台２１の昇降をガイドする左右一対の垂直ガイド溝１０ｂ１，１０ｃ１が貫通して鉛直方向に長尺に形成されている。
【００６１】
また、用紙積載台２１は、用紙搬送方向の上流側の後面２１ｄに取っ手２２（図２のみ図示）が取り付けられており、ユーザが取っ手２２を把持しながら用紙積載台２１を上方を持ち上げることで、後述するようにユーザの手動操作により用紙積載台２１を傾斜させながら上下方向に昇降させることができるようになっている。
【００６２】
また、用紙積載台２１の上面２１ａ上には、複数枚の用紙Ｐの幅方向を規制する左右一対のサイド板２３，２３が立設されている。
【００６３】
上記した左右一対のサイド板２３，２３は、用紙積載台２１の上面２１ａ上で用紙幅方向に沿って形成した各２箇所のガイド孔２１ａ１に案内されて用紙サイズに応じて用紙幅方向に移動可能に取り付けられている。
【００６４】
また、用紙積載台２１の上面２１ａ上で用紙搬送方向の下流側に貫通して形成した角孔２１ａ２内には、用紙積載台２１の下面２１ｂ側に取り付けた用紙有無センサ２４（図２のみ図示）が臨んでおり、この用紙有無センサ２４で用紙積載台２１の上面２１ａ上に積載される用紙Ｐの有無を検出している。
【００６５】
また、用紙積載台２１は、用紙幅方向の両側前方部位となる用紙搬送方向の下流側の上面２１ａ上で左右の側面２１ｅ，２１ｆ側に、例えば、三角形状に形成された左右一対の回動軸支持板２５，２５が一体的に上方に向かって突出した状態で立設されている。
【００６６】
上記した左右一対の回動軸支持板２５，２５の上方部位には、左右一対の回動軸２６，２６が筐体内フレーム１０に形成した左右一対の側板部１０ｂ，１０ｃ側に向かって横設されており、これらの左右一対の回動軸２６，２６は後述するように手動操作により用紙積載台２１を時計方向及び反時計方向に回動させる機能を有している。
【００６７】
また、左右一対の回動軸２６，２６それぞれは、左右一対の回動軸支持板２５，２５側が大径軸部に形成され、この大径軸部に連接して細径軸部が筐体内フレーム１０の左右一対の側板部１０ｂ，１０ｃ側に向かって形成されている。
【００６８】
また、左右一対の回動軸２６，２６の各細径軸部は、用紙積載台２１の下面２１ｂを跨いで設けられた積載台フレーム２７の左右一対の側板部２７ｂ，２７ｃに形成した左右一対の貫通孔２７ｂ１，（２７ｃ１…図示せず）を通り抜けた後に、筐体内フレーム１０の左右一対の側板部１０ｂ，１０ｃに形成した左右一対の垂直ガイド溝１０ｂ１，１０ｃ１内に嵌合している。
【００６９】
上記した積載台フレーム２７は、用紙積載台２１の下面２１ｂと対向する平板部２７ａの用紙幅方向の両端部から左右一対の側板部２７ｂ，２７ｃが互いに間隔を離して対向して上向きコ字状に折り曲げ形成されており、且つ、左右一対の側板部２７ｂ，２７ｃは左右一対の回動軸支持板２５，２５の各外側と対向している。
【００７０】
また、左右一対の回動軸２６，２６のうちで右側の回動軸２６は、積載台フレーム２７の右側板部２７ｃに形成した貫通孔（２７ｃ１…図示せず）を通り抜けた細径軸部に給紙台回動角度検出円板２８が固着されており、且つ、給紙台回動角度検出円板２８は外周部の一部に切欠部２８ａが形成されている。
【００７１】
また、給紙台回動角度検出円板２８と対向して光透過型センサ２９が積載台フレーム２７の右側板部２７ｃの外側に取り付けられている。即ち、光透過型センサ２９の発光部（図示せず）と受光部（図示せず）は給紙台回動角度検出円板２８で隔てられている。
【００７２】
これにより、後述するように手動操作により用紙積載台２１が左右一対の回動軸２６，２６を中心にして回動したときに、給紙台回動角度検出円板２８と光透過型センサ２９とで用紙積載台２１の傾斜角度を画像形成装置１（図１）内に設けた制御部７（図１）を介して検出可能になっている。
【００７３】
従って、積載台フレーム２７と、右側の回動軸２６に取り付けた給紙台回動角度検出円板２８と、光透過型センサ２９とで用紙積載台傾斜角度検出手段（２７〜２９）が構成されている。
【００７４】
また、積載台フレーム２７の左右一対の側板部２７ｂ，２７ｃには、左右一対のシャフト３０，３０が左右一対の回動軸２６，２６の各細径軸部と同径に形成されて筐体内フレーム１０の左右一対の側板部１０ｂ，１０ｃ側に向かって横設されている。
【００７５】
この際、左右一対のシャフト３０，３０は、左右一対の回動軸２６，２６の各細径軸部が挿通する左右一対の貫通孔２７ｂ１，（２７ｃ１…図示せず）と同一鉛直線上の上方部位に取り付けられている。
【００７６】
尚、左右一対のシャフト３０，３０は必要に応じて設ければ良く、左右一対のシャフト３０，３０を設けなくても支障は生じない。
【００７７】
そして、左右一対の回動軸２６，２６の各細径軸部と、左右一対のシャフト３０，３０は、共に筐体内フレーム１０の左右一対の側板部１０ｂ，１０ｃに形成した左右一対の垂直ガイド溝１０ｂ１，１０ｃ１内に嵌合している。
【００７８】
上記から、積載台フレーム２７は、左右一対の回動軸２６，２６を介して用紙積載台２１に連結されているので、用紙積載台２１と一体となって積載台フレーム２７も昇降可能になっている。
【００７９】
しかし、後述するように手動操作により用紙積載台２１を回動させるときに、積載台フレーム２７は左右一対の側板部２７ｂ，２７ｃよりもそれぞれ外側に突出した左右一対の回動軸２６，２６及び左右一対のシャフト３０，３０が筐体内フレーム１０に形成した左右一対の垂直ガイド溝１０ｂ１，１０ｃ１内に嵌合しているために回動できずに略垂直姿勢を保った状態で昇降可能になっている。
【００８０】
また、用紙積載台２１の下面２１ｂ中で用紙搬送方向の中間部位には、用紙積載台２１の昇降駆動源となる正逆転可能なギアードモータ３１がモータブラケット３２を介して取り付けられており、且つ、ギアードモータ３１のモータ軸に第１ギア３３が固着されている。
【００８１】
また、用紙積載台２１の下面２１ｂ中でギアードモータ３１の近傍には、回転駆動軸３４が左右一対の軸支持ブラケット３５，３５を介して回転自在に支持されている。
【００８２】
上記した回転駆動軸３４は、用紙幅方向に沿って長尺に形成されており、この回転駆動軸３４の中間部位に固着した第２ギア３６にギアードモータ３１のモータ軸に固着した第１ギア３３が常時噛合している。
【００８３】
また、回転駆動軸３４の用紙幅方向の両端部には、左右一対の昇降ギア３７，３７が固着されている。
【００８４】
従って、左右一対の昇降ギア３７，３７は、用紙積載台２１の下面２１ｂ側に用紙搬送方向と直交する用紙幅方向に間隔を離して正逆転可能に取り付けられている。
【００８５】
そして、左右一対の昇降ギア３７，３７は、筐体内フレーム１０のうちで用紙幅方向に間隔を離して形成された左右一対の側板部１０ｂ，１０ｃに取り付けた左右一対のラック１１，１１の各ラック歯１１ａに接離自在に噛合している。この際、左右一対のラック１１，１１の各ラック歯１１ａは、図２に示した装置筐体２の左側面２ｂ側に向かって形成されている。
【００８６】
これにより、通常動作時に、左右一対の昇降ギア３７，３７が左右一対のラック１１，１１の各ラック歯１１ａに噛合している状態で、ギアードモータ３１を正転又は逆転させれば、積載台フレーム２７と一体に用紙積載台２１が略水平状態を保ちながら自動的に上昇又は下降するようになっている。
【００８７】
ところで、ギアードモータ３１の駆動力により積載台フレーム２７と一体に用紙積載台２１を自動的に昇降させる場合には、用紙積載台２１の上昇又は下降に要する時間がかかると共に、ユーザが所望する適宜な位置に迅速に用紙積載台２１を停止させることが困難である。
【００８８】
そこで、この第１実施形態では、ユーザの手動操作により用紙積載台２１を左右一対の回動軸２６，２６を回動中心にして略水平状態から上方に向けて傾けることで、左右一対の昇降ギア３７，３７を左右一対のラック１１，１１の各ラック歯１１ａから噛合を解除して、手動により用紙積載台２１を迅速に昇降できるように改善を図っている。
【００８９】
この際、昇降ギア３７がラック１１のラック歯１１ａから噛合を解除できる条件について図４（ａ），（ｂ）を用いて説明する。
【００９０】
図４は本発明の第１実施形態に係る用紙積載装置において、昇降ギアがラックのラック歯から噛合を解除できる条件を説明するために模式的に示しており、（ａ）は用紙積載台が水平状態を示し、（ｂ）は用紙積載台が垂直状態を示している。
【００９１】
尚、図４（ａ），（ｂ）では、用紙積載台の正面側のみ図示して説明し、正面側と対称な背面側についての説明を省略する。
【００９２】
まず、図４（ａ）に示す如く、本発明の第１実施形態に係る用紙積載装置２０Ａにおいて、回動軸２６を回動中心にして回動可能な用紙積載台２１が略水平状態で開いているときに、用紙積載台２１の下面２１ｂに沿ってＸ軸を設定し、且つ、ラック１１のラック歯１１ａの先端に沿ってＹ軸を設定して、Ｘ軸とＹ軸とで作る平面内に第１〜第４象限を図示の如く設定する。
【００９３】
この状態において、用紙積載台２１の下面２１ｂ側に取り付けた昇降ギア３７は、筐体内フレーム１０（図２）の右側板部１０ｃ（図２）に取り付けたラック１１のラック歯１１ａの外側に位置するものとする。
【００９４】
また、筐体内フレーム１０（図２）の右側板部１０ｃ（図２）に形成した垂直ガイド溝１０ｃ１は、第１，第４象限内に位置しているものとする。
【００９５】
また、用紙積載台２１の上面２１ａ上で右側面２１ｆ側に取り付けられた回動軸支持板２５に横設した回動軸２６は、積載台フレーム２７の右側板部２７ｃを通り抜けて垂直ガイド溝１０ｃ１内に嵌合しているものとする。
【００９６】
更に、積載台フレーム２７の右側板部２７ｃに取り付けたシャフト３０も垂直ガイド溝１０ｃ１内に嵌合しているものとする。
【００９７】
次に、図４（ｂ）に示す如く、本発明の第１実施形態に係る用紙積載装置２０Ａにおいて、装置筐体２（図１）の下限位置に至った用紙積載台２１が略垂直状態で閉じているときに、回動軸２６の中心から昇降ギア３７のギア歯先端までのＸ軸方向の線分の長さをＬｇと設定し、回動軸２６の中心からラック１１のラック歯１１ａの先端までのＸ軸方向の線分の長さをＬｒと設定する。
【００９８】
上記の各設定により、昇降ギア３７をラック１１のラック歯１１ａから噛合を解除するためには、下記の第１〜第３条件を満たせば良いものである。
【００９９】
即ち、第１の条件は、用紙積載台２１が略水平状態を保っているときに、用紙積載台２１を回動させるための回動軸２６は第１象限にある。また、第２の条件は、回動軸２６が筐体内フレーム１０（図２）の右側板部１０ｃ（図２）に形成した垂直ガイド溝１０ｃ１内に嵌合している。更に、第３の条件は、用紙積載台２１が略垂直状態を保っているときに、上記した各線分の長さＬｇ，Ｌｒに対して、Ｌｇ＞Ｌｒである。
【０１００】
上記のように、昇降ギア３７をラック１１のラック歯１１ａから噛合を解除できる第１〜第３条件を満たした上で、本発明の第１実施形態に係る用紙積載装置２０Ａにおいて、用紙積載台２１を手動操作により下降させる動作について、先に示した図２と、新たな図５及び図６とを併用して説明する。
【０１０１】
尚、本発明の第１実施形態に係る用紙積載装置２０Ａにおいて、通常動作時に用紙積載台２１を自動的に昇降させる場合は、先に説明しているのでここでの説明を省略する。
【０１０２】
尚また、図６（ａ）〜（ｄ）では、用紙積載台の正面側のみ図示して説明し、正面側と対称な背面側についての説明を省略する。
【０１０３】
図５は本発明の第１実施形態に係る用紙積載装置において、ユーザの手動操作により用紙積載台を下降して下限位置で装置筐体内に収納させる動作フローを示している。また、図６（ａ）〜（ｄ）は本発明の第１実施形態に係る用紙積載装置において、ユーザの手動操作により用紙積載台を下降して下限位置で装置筐体内に収納させる動作を段階的に示している。
【０１０４】
図５に示す如く、本発明の第１実施形態に係る用紙積載装置２０Ａの動作を開始すると、ステップＳ１１において、画像形成装置１内で用紙Ｐ上に画像を形成する。
【０１０５】
次に、ステップＳ１２において、用紙Ｐ上への画像形成が終了する。
【０１０６】
このとき、図６（ａ）に示す如く、本発明の第１実施形態に係る用紙積載装置２０Ａ内では、用紙積載台２１が上限位置側で略水平状態を保っている。
【０１０７】
また、用紙積載台２１は、この下面２１ｂ側に取り付けた昇降ギア３７がラック１１に形成したラック歯１１ａに噛合しており、用紙積載台２１はラック１１に対して略直交している。また、用紙積載台２１の上面２１ａに取り付けられた回動軸支持板２５に横設した回動軸２６と、用紙積載台２１に連結された積載台フレーム２７の右側板部２７ｃに横設したシャフト３０は、共に筐体内フレーム１０の右側板部１０ｃに形成した垂直ガイド溝１０ｃ１内に嵌合している。
【０１０８】
また、用紙積載台２１が略水平状態を保っているときに、積載台フレーム２７の右側板部２７ｃに取り付けた光透過型センサ２９は、回動軸２６に固着した給紙台回動角度検出円板２８によって遮蔽されているので、画像形成装置１（図１）内に設けた制御部７は電源部８の装置電源をＯＮ状態に保っている。
【０１０９】
そして、用紙Ｐへの画像形成が終了した段階でユーザが用紙積載台２１を画像形成装置１の装置筐体２（図１）内に収納したい場合に、図５に示したステップＳ１３において、ユーザは用紙積載台２１上から用紙Ｐを手で取り除く。
【０１１０】
次に、図５に示したステップＳ１４において、ユーザの手動操作により用紙積載台２１を回動軸２６を回動中心にして上方に向けて傾けると、用紙積載台２１が略垂直状態に至るまで用紙積載台２１の下面２１ｂ側に取り付けた昇降ギア３７がラック１１のラック歯１１ａから噛合を解除される。これにより、手動操作時に、積載台フレーム２７と一体に用紙積載台２１を下限位置に向けて迅速に下降させることができる。
【０１１１】
次に、図５に示したステップＳ１５において、用紙積載台２１の下降途中において、用紙積載台２１の傾斜角度が４５°以上であるか否かを問う。
【０１１２】
この第１実施形態では、用紙積載台２１の下降途中で、この用紙積載台２１を略水平状態に対して所定の角度以上傾斜させたときに、電源部８の装置電源を遮断する所定の傾斜角度を例えば４５°以上に予め設定している。
【０１１３】
言い換えると、用紙積載台２１への手動操作時に、用紙積載台２１の傾斜角度に応じて電源部８の装置電源をＯＮ／ＯＦＦ制御できるようになっている。
【０１１４】
そして、ステップＳ１５において、用紙積載台２１の傾斜角度が４５°以上であると用紙積載台傾斜角度検出手段（２７〜２９）を介して制御部７が判断した場合（ＹＥＳの場合）には、ステップＳ１６において、電源部８の装置電源を遮断する。一方、用紙積載台２１の傾斜角度が４５°以上でないと制御部７が判断した場合（ＮＯの場合）には、ステップＳ１７において、電源部８の装置電源を遮断（ＯＦＦ）せずに、用紙積載台２１を適宜な量だけ下げた位置で停止して用紙Ｐの補充を行った後にステップＳ１１に戻り、再び用紙Ｐ上に画像形成を行う。
【０１１５】
即ち、図６（ｂ）に示す如く、用紙積載台２１の下降途中で用紙積載台２１が例えば２０°程度傾いているときに、図６（ａ）と同様に、光透過型センサ２９は、給紙台回動角度検出円板２８によって遮蔽されているので、制御部７は電源部８の装置電源をＯＮ状態に保っている。
【０１１６】
一方、図６（ｃ）に示す如く、用紙積載台２１の下降途中で用紙積載台２１が例えば４５°以上傾いているときに、光透過型センサ２９は、給紙台回動角度検出円板２８の切欠部２８ａと対向して光が透過するので、制御部７は電源部８の装置電源を遮断してＯＦＦ状態にする。
【０１１７】
この後、図５に示したステップＳ１８において、用紙積載台２１を４５°以上傾けた状態でこの用紙積載台２１を手動により装置筐体２（図１）の下限位置まで下降して停止させる。
【０１１８】
次に、図５に示したステップＳ１９において、用紙積載台２１が下限位置に至ったときに、ユーザは必要に応じて用紙積載台２１を回動軸２６を中心にして時計方向に回動させて、この用紙積載台２１を略垂直に折り畳んで装置筐体２内に収納して、この動作フローを終了する。
【０１１９】
このときに、図６（ｄ）に示す如く、用紙積載台２１がラック１１と平行に起立するも、昇降ギア３７はラック１１のラック歯１１ａから外れている。
【０１２０】
この際、用紙積載台２１は、筐体内フレーム１０に取り付けたマグネット１５により略垂直状態を維持するように固定される。
【０１２１】
尚、ユーザの手動操作により、昇降ギア３７をラック１１のラック歯１１ａから噛合を解除した状態で、積載台フレーム２７と一体に用紙積載台２１を上記とは逆に上限位置側に向けて上昇させることができる。
【０１２２】
上記から、本発明の第１実施形態に係る用紙積載装置２０Ａによると、ユーザの手動操作により昇降可能な用紙積載台２１を左右一対の回動軸２６，２６を回動中心にして略水平状態から上方に向けて傾けることで、用紙積載台２１の下面２１ｂ側に用紙幅方向に間隔を離して正逆転可能に取り付けた左右一対の昇降ギア３７．３７を、筐体内フレーム１０に間隔を離して取り付けた左右一対のラック１１，１１の各ラック歯１１ａから噛合を解除できるように構成されている。
【０１２３】
言い換えると、用紙載置台２１は、装置筐体２に対して昇降可能に設けられた一対の回動軸周りに回動可能に支持されており、一対の回動軸周りに用紙載置台２１を閉じる方向に傾斜させた際、一対の昇降ギア３３，３３が一対のラック１１，１１の各ラック歯１１ａから歯合を解除されるように構成されている。
【０１２４】
この結果、ユーザの手動操作により、用紙積載台を迅速に昇降させることができると共に、ユーザが所望する適宜な位置に停止させてこの用紙積載台を略水平状態に戻すことができるので、使用勝手の良い第１実施形態の用紙積載装置２０Ａを提供することができる。
【０１２５】
また、ユーザの手動操作により用紙積載台２１を下降させるときに、用紙積載台２１が予め設定した所定の角度以上傾斜したことを用紙積載台傾斜角度検出手段（２７〜２９）で検出したときに装置電源を遮断しているので、不図示の電源釦を操作する必要がなくなり、操作性の良い第１実施形態の用紙積載装置２０Ａを提供することができる。
【０１２６】
更に、ユーザの手動操作により用紙積載台２１が所定の角度以上傾斜していない場合に、用紙積載台２１をユーザが所望する適宜な位置に停止させて例えば用紙Ｐの補充を行うことで、用紙Ｐ上に再度画像形成を行うことが可能になるので、用紙積載装置２０Ａの使用勝手がより一層良好となる。
【０１２７】
（第２実施形態）
次に、本発明の第２実施形態に係る用紙積載装置の構成について、図７（ａ），（ｂ）を用いて説明する。
【０１２８】
図７は本発明の第２実施形態に係る用紙積載装置を左側面側，正面側から見て模式的に示している。
【０１２９】
図７（ａ），（ｂ）に示した本発明の第２実施形態に係る用紙積載装置２０Ｂ（２０）は、先に図２及び図３（ａ），（ｂ）を用いて説明した第１実施形態の用紙積載装置２０Ａ（２０）に対して一部異なっており、第１実施形態と同じ構成部材に対して同一の符号番号を付して詳細な説明を省略し、第１実施形態に対して異なる点を中心にして以下説明する。
【０１３０】
図７（ａ），（ｂ）に示す如く、本発明の第２実施形態に係る用紙積載装置２０Ｂ（２０）も、第１実施形態と同様に、ユーザの手動操作により昇降可能な用紙積載台２１を略水平状態から上方に向けて傾けることで、用紙積載台２１の下面２１ｂ側に取り付けた左右一対の昇降ギア３７．３７を、筐体内フレーム１０の左右一対の側板部１０ｂ，１０ｃに取り付けた左右一対のラック１１，１１の各ラック歯１１ａから噛合を解除できるように構成されている。
【０１３１】
しかし、この第２実施形態では、第１実施形態とは異なって、先に図４（ａ），（ｂ）を用いて説明した昇降ギア３７をラック１１のラック歯１１ａから噛合を解除できる第１〜第３条件のうち第３条件を設定する必要がないように改善が図られている。
【０１３２】
ここで、第１実施形態に対して異なる点について具体的に説明すると、用紙積載台２１は、用紙幅方向の両側前方部位となる用紙搬送方向の下流側の下面２１ｂ中で左右の側面２１ｅ，２１ｆ側に、略半円弧状に形成された左右一対のカム４１，４１が一体的に下方に向かって突出した状態で取り付けられている。
【０１３３】
また、筐体内フレーム１０の左右一対の側板部１０ｂ，１０ｃ間で左右一対のラック１１，１１の各下端の近傍に、用紙幅方向に沿って長尺なカム支持板１６が掛け渡されている。
【０１３４】
上記したカム支持板１６は、水平部１６ａと傾斜部１６ｂとが連接して一体的に形成されており、水平部１６ａはラック１１のラック歯１１ａとは反対側に水平に突出している一方、傾斜部１６ｂはラック１１のラック歯１１ａ側に下方に向かって傾斜している。
【０１３５】
そして、後述するように、通常動作時に用紙積載台２１が下限位置近傍に至ったときに、用紙積載台２１の下面２１ｂ中に取り付けた左右一対のカム４１，４１がカム支持板１６の水平部１６ａに接離自在に当接できるようになっている。
【０１３６】
更に、筐体内フレーム１０には、用紙積載台２１の昇降をガイドする左右一対の垂直ガイド溝１０ｂ１，１０ｃ１の各下端に連接して、左右一対の傾斜ガイド溝１０ｂ２，１０ｃ２が左右一対のラック１１，１１側に向かって傾斜して短尺に形成されており、且つ、左右一対の傾斜ガイド溝１０ｂ２，１０ｃ２の各下端が下限位置になっている。
【０１３７】
従って、左右一対の垂直ガイド溝１０ｂ１，１０ｃ１内及び左右一対の傾斜ガイド溝１０ｂ２，１０ｃ２内には、用紙積載台２１上に取り付けられた左右一対の回動軸支持板２５，２５に横設した左右一対の回動軸２６，２６のみが積載台フレーム２７の左右一対の側板部２７ｂ，２７ｃを通り抜けた後に嵌合している。
【０１３８】
尚、第２実施形態では、先に第１実施形態で説明した積載台フレーム２７の左右一対の側板部２７ｂ，２７ｃに横設した左右一対のシャフト３０，３０（図２，図３）が省略されている。
【０１３９】
そして、後述するように、左右一対の回動軸２６，２６が左右一対の傾斜ガイド溝１０ｂ２，１０ｃ２の各下端まで進入して用紙積載台２１が下限位置に至ったときに、左右一対の昇降ギア３７．３７を左右一対のラック１１，１１の各ラック歯１１ａから噛合を解除するために第１実施形態で設定した前述の第３条件の設定を省略できる。
【０１４０】
ここで、上記構成による本発明の第２実施形態に係る用紙積載装置２０Ｂにおいて、用紙積載台２１を下降させる際に、通常動作の場合と手動操作の場合とに分けて図８及び図９を用いて説明する。
【０１４１】
図８（ａ）〜（ｄ）は本発明の第２実施形態に係る用紙積載装置において、通常動作により用紙積載台を下降させる場合を段階的に示している。また、図９（ａ）〜（ｄ）は本発明の第２実施形態に係る用紙積載装置において、手動操作により用紙積載台を下降させる場合を段階的に示している。
【０１４２】
尚、図８（ａ）〜（ｄ）及び図９（ａ）〜（ｄ）では、用紙積載台の正面側のみ図示して説明し、正面側と対称な背面側についての説明を省略する。
【０１４３】
まず、図８（ａ）〜（ｄ）に示す如く、本発明の第２実施形態に係る用紙積載装置２０Ｂにおいて、通常動作の場合には、用紙積載台２１が常に略水平状態を保ったまま、ギアードモータ３１の駆動力により積載台フレーム２７と一体に用紙積載台２１を自動的に昇降させている。
【０１４４】
この際、用紙積載台２１の下面２１ｂ側に取り付けた昇降ギア３７がラック１１に形成したラック歯１１ａに噛合している。また、第１実施形態とは異なって、用紙積載台２１上に取り付けられた回動軸支持板２５に横設した回動軸２６のみが、積載台フレーム２７の右側板部２７ｃを通りぬけて垂直ガイド溝１０ｃ１内に嵌合している。
【０１４５】
ここで、第１実施形態における通常動作に対して異なる点は、回動軸２６が下限位置よりも少し手前に位置する垂直ガイド溝１０ｃ１の下端に至ったときに、用紙積載台２１の下面２１ｂ中に取り付けたカム４１が、筐体内フレーム１０（図７）の左右一対の側板部１０ｂ，１０ｃ間の下方部位に掛け渡されたカム支持板１６の水平部１６ａに当接して、用紙積載台２１の下降が停止される。勿論、用紙積載台２１が下限位置近傍に到達したときも昇降ギア３７はラック１１のラック歯１１ａに噛合したままの状態である。
【０１４６】
従って、回動軸２６は、垂直ガイド溝１０ｃ１の下端に連接した傾斜ガイド溝１０ｃ２内には進入できない。
【０１４７】
また、用紙積載台２１が略水平状態を保っているときに、積載台フレーム２７の右側板部２７ｃに取り付けた光透過型センサ２９は、回動軸２６に固着した給紙台回動角度検出円板２８によって遮蔽されているので、画像形成装置１（図１）内に設けた制御部７は電源部８の装置電源をＯＮ状態に保っている。
【０１４８】
尚、通常動作時に、ユーザが用紙積載台２１の昇降途中で電源部８の装置電源を遮断したい場合には、操作パネル部３（図１）内に配設された不図示の電源釦を操作すれば良いものである。
【０１４９】
次に、図９（ａ）〜（ｄ）に示す如く、本発明の第２実施形態に係る用紙積載装置２０Ｂにおいて、ユーザの手動操作により用紙積載台２１を下限位置まで下降させて、この下限位置で用紙積載台２１を装置筐体２（図１）内に収納させる動作は、先に図６（ａ）〜（ｄ）を用いて説明した第１実施形態に対して図９（ａ）〜（ｃ）までの動作は略同じであるが、図９（ｄ）の動作が異なっている。
【０１５０】
まず、図９（ａ）に示す如く、用紙積載台２１が上限位置側で略水平状態を保っている。このとき、用紙積載台２１の下面２１ｂ側に取り付けた昇降ギア３７がラック１１に形成したラック歯１１ａに噛合している。
【０１５１】
また、第１実施形態とは異なって、用紙積載台２１上に取り付けられた回動軸支持板２５に横設した回動軸２６のみが、積載台フレーム２７の右側板部２７ｃを通りぬけて垂直ガイド溝１０ｃ１及び傾斜ガイド溝１０ｃ２に対して嵌合している。
【０１５２】
そして、用紙積載台２１が略水平状態を保っているときに、積載台フレーム２７の右側板部２７ｃに取り付けた光透過型センサ２９は、回動軸２６に固着した給紙台回動角度検出円板２８によって遮蔽されているので、画像形成装置１（図１）内に設けた制御部７は電源部８の装置電源をＯＮ状態に保っている。
【０１５３】
次に、図９（ｂ）に示す如く、ユーザの手動操作により用紙積載台２１を回動軸２６を回動中心にして水平状態から上方に向けて傾けると、用紙積載台２１の下面２１ｂ側に取り付けた昇降ギア３７がラック１１のラック歯１１ａから噛合を解除される。この噛合解除状態は、用紙積載台２１の略水平状態を除いて用紙積載台２１が略垂直状態に至るまで保持される。これにより、手動操作時に、積載台フレーム２７と一体に用紙積載台２１を下限位置に向けて迅速に下降させることができる。
【０１５４】
そして、用紙積載台２１の下降途中で用紙積載台２１が例えば３０°程度傾いているときに、図９（ａ）と同様に、光透過型センサ２９は、給紙台回動角度検出円板２８によって遮蔽されているので、制御部７は電源部８の装置電源をＯＮ状態に保っている。
【０１５５】
次に、図９（ｃ）に示す如く、用紙積載台２１の下降途中で用紙積載台２１が例えば４５°以上傾いているときに、光透過型センサ２９は、給紙台回動角度検出円板２８の切欠部２８ａと対向して光が透過するので、制御部７は電源部８の装置電源を遮断してＯＦＦ状態にする。
【０１５６】
次に、図９（ｄ）に示す如く、ユーザの手動操作により用紙積載台２１を更に下降させると、回動軸２６が垂直ガイド溝１０ｃ１の下端から傾斜ガイド溝１０ｃ２内に進入するので、用紙積載台２１が手動により装置筐体２（図１）の下限位置まで下降して停止する。
【０１５７】
そして、用紙積載台２１が下限位置に至ったときに、ユーザは必要に応じて用紙積載台２１を回動軸２６を中心にして時計方向に回動させて、この用紙積載台２１を略垂直に折り畳んで装置筐体２内に収納して、この動作フローを終了する。
【０１５８】
このときに、図９（ｄ）に示す如く、用紙積載台２１はラック１１と平行に起立すると共に、回動軸２６がラック１１側に向かって傾斜した傾斜ガイド溝１０ｃ２内に嵌合しているために、昇降ギア３７は第１実施形態よりもラック１１のラック歯１１ａから大きく外れる。
【０１５９】
従って、第１実施形態で説明した昇降ギア３７をラック１１のラック歯１１ａから噛合を解除するために第１実施形態で設定した前述の第３条件を省略できる。
【０１６０】
この際、用紙積載台２１は、筐体内フレーム１０に取り付けたマグネット１５により略垂直状態を維持するように固定されると共に、用紙積載台２１の下面２１ｂ中に取り付けたカム４１はカム支持板１６の水平部１６ａから離間している。
【０１６１】
また、用紙積載台２１を下限位置で略水平状態にした場合には、用紙積載台２１の下面２１ｂ中に取り付けたカム４１が、筐体内フレーム１０の左右一対の側板部１０ｂ，１０ｃ間の下方部位に掛け渡されたカム支持板１６の傾斜部１６ｂに沿って徐々に回動軸２６を傾斜ガイド溝１０ｃ２内から垂直ガイド溝１０ｃ１の下端まで上昇させる。
【０１６２】
これにより、昇降ギア３７がラック１１のラック歯１１ａに噛合し、通常動作による
用紙積載台２１の上昇が可能となる。
【０１６３】
尚、ユーザの手動操作により、昇降ギア３７をラック１１のラック歯１１ａから噛合を解除した状態で積載台フレーム２７と一体に用紙積載台２１を上記とは逆に上限位置側に向けて上昇させることができる。
【０１６４】
上記から、本発明の第２実施形態に係る用紙積載装置２０Ｂでは、第１実施形態と同様な効果が得られる他に、筐体内フレーム１０に形成した左右一対の垂直ガイド溝１０ｂ１，１０ｃ１の各下端に連接して、左右一対の傾斜ガイド溝１０ｂ２，１０ｃ２が左右一対のラック１１，１１側に向かって傾斜して短尺に形成されている。これにより、下限位置に至った用紙積載台２１が略垂直状態を保っているときに、左右一対の昇降ギア３７，３７を第１実施形態よりも左右一対のラック１１，１１の各ラック歯１１ａから大きく外すことができる。
【０１６５】
尚、以上詳述した本発明の第１，第２実施形態に係る用紙積載装置２０Ａ，２０Ｂにおいて、手動操作時における用紙積載台２１の傾斜角度を検出する用紙積載台傾斜角度検出手段は、積載台フレーム２７と、右側の回動軸２６に取り付けた給紙台回動角度検出円板２８と、光透過型センサ２９とで構成した例について説明したが、これに限ることなく、用紙積載台２１の傾斜角度を検出できる構造形態であれば良いものである。
【０１６６】
例えば、第１，第２実施形態における用紙積載台傾斜角度検出手段の第１変形例として、ここでの図示を省略するが、レバー形状のアクチュエータを備えたスイッチ（マイクロスイッチ又は電源スイッチ）を積載台フレーム２７の一方の側板部（２７ｂ又は２７ｃ）の内側に取り付けておく。
【０１６７】
そして、用紙積載台２１の傾斜角度に応じて用紙積載台２１の前面２１ｃの位置が変位するので、アクチュエータを用紙積載台２１の前面２１ｃに接離自在に当接させる。これにより、アクチュエータを介してスイッチをＯＮ／ＯＦＦさせることにより、マイクロスイッチを用いた場合には制御部７を介して電源部８の装置電源を制御でき、電源スイッチを用いた場合には装置電源を直接制御できる。
【０１６８】
また、第１，第２実施形態における用紙積載台傾斜角度検出手段の第２変形例として、ここでの図示を省略するが、積載台フレーム２７を設けずに、用紙積載台２１の後面２１ｄの少し内側位置と対応して光透過型のレーザ変位計を構成するレーザービーム投光部とレーザービーム受光部とを装置筐体２内に設定した上限位置と下限位置とに離れて設置しておく。
【０１６９】
そして、用紙積載台２１の傾斜角度に応じて用紙積載台２１の後面２１ｄの少し内側位置が変位するので、レーザービームが用紙積載台２１の後面２１ｄの少し内側位置を透過するか否かにより制御部７を介して電源部８の装置電源を制御できる。
【０１７０】
更に、本発明の第１，第２実施形態に係る用紙積載装置２０Ａ，２０Ｂにおいて、ユーザの手動操作による用紙積載台２１の下降途中で、用紙積載台２１が予め設定した所定の角度以上傾斜したときに装置電源を遮断させているが、これとは逆に、ユーザの手動操作により用紙積載台２１を開く途中で、用紙積載台２１を予め設定した所定の角度よりも小さく傾斜させたときに電源部８の装置電源を投入したい要求もある。
【０１７１】
この場合に、ユーザの手動操作により、下限位置で略垂直に起立している用紙積載台２１を開き方向に傾けて上昇させるが、下限位置で電源部８の装置電源が遮断されているために制御部７を動作させることができないために、下記の第１，第２の装置電源投入方法のいずれか一方の方法を採用すれば良いものである。
【０１７２】
まず、第１の装置電源投入方法は、ここでの図示を省略するが、用紙積載台傾斜角度検出手段として、積載台フレーム２７の一方の側板部（２７ｂ又は２７ｃ）の内側に装置電源を直接ＯＮ／ＯＦＦさせることができ且つレバー形状のアクチュエータを備えた不図示の電源スイッチを取り付けておく。
【０１７３】
そして、ユーザの手動操作による用紙積載台２１の上昇途中で用紙積載台２１を予め設定した所定の角度よりも小さく傾斜させたときに、電源スイッチが用紙積載台２１の前面２１ｃに当接した検出結果から電源部８の装置電源を直接投入する方法である。
【０１７４】
次に、第２の装置電源投入方法は、ここでの図示を省略するが、電源部８内に装置を動作させるに必要な装置電源を供給する主電源部と、制御部７の一部を常時働かせる副電源部とに分けて用意しておく。
【０１７５】
そして、副電源部により制御部７の一部を常時働かせて、ユーザの手動操作による用紙積載台２１の上昇途中で用紙積載台２１を予め設定した所定の角度よりも小さく傾斜させたときに、制御部７の一部により用紙積載台傾斜角度検出手段（２７〜２９）の検出結果を検出した後に、主電源部を動作させて装置電源を投入する方法である。
【０１７６】
上記から第１，第２の装置電源投入方法のいずれか一方を採用することで、本発明の第１，第２実施形態に係る用紙積載装置２０Ａ，２０Ｂの使用勝手をより一層向上させることができる。
【符号の説明】
【０１７７】
１…画像形成装置、
２…装置筐体、２ａ…天面、２ｂ…一側面（左側面）、２ｂ１…第１開口部、
２ｃ…他側面（右側面）、２ｃ１…第２開口部、
３…操作パネル部、４…給紙部、４ａ…給紙ローラ、４ｂ…捌き板、
５…画像形成部、６…排紙部、７…制御部、８…電源部、９…排紙台、
１０…筐体内フレーム、１０ａ…前板部、１０ｂ，１０ｃ…左右一対の側板部、
１０ｂ１，１０ｃ１…左右一対の垂直ガイド溝、
１０ｂ２，１０ｃ２…左右一対の傾斜ガイド溝、
１１…ラック、１１ａ…ラック歯、１２…上限位置検出センサ、
１３…給紙高さ位置検出センサ、１４…下限位置検出センサ、１５…マグネット、
１６…カム支持板、１６ａ…水平部、１６ｂ…傾斜部、
２０…用紙積載装置、
２０Ａ…第１実施形態に係る用紙積載装置、
２０Ｂ…第２実施形態に係る用紙積載装置、
２１…用紙積載台、２１ａ…上面、２１ｂ…下面、２１ｃ…前面、２１ｄ…後面、
２１ｅ，２１ｆ…左右の側面、２２…取っ手、
２３…サイド板、２４…用紙有無センサ、２５…回動軸支持板、２６…回動軸、
２７…積載台フレーム、２７ａ…平板部、２７ｂ，２７ｃ…左右一対の側板部、
２７ｂ１，（２７ｃ１）…左右一対の貫通孔、
２８…給紙台回動角度検出円板、２８ａ…切欠部、２９…光透過型センサ、
２７〜２９…用紙積載台傾斜角度検出手段、
３０…シャフト、３１…ギアードモータ、３３…第１ギア、
３４…回転駆動軸、３６…第２ギア、３７…昇降ギア、４１…カム、Ｐ…用紙。
【図１】
2017132590.tif 000003
【図２】
2017132590.tif 000004
【図３】
2017132590.tif 000005
【図４】
2017132590.tif 000006
【図５】
2017132590.tif 000007
【図６】
2017132590.tif 000008
【図７】
2017132590.tif 000009
【図８】
2017132590.tif 000010
【図９】
2017132590.tif 000011
【図１０】
2017132590.tif 000012